(57)【要約】【課題】  特に、前記再生参照光の入射角度及び波長等を調整する再生初期設定を簡単且つ適切に行うことができ、その後のホログラム再生を適切に行うことが可能なホログラム再生装置及びホログラム再生方法を提供することを目的としている。【解決手段】  液晶素子２４のほぼ全域を再生光透過領域として多数の再生光２５ａ，２６ａ，２７ａを透過させて、受光部２９にて受光する。そして、再生参照光２８の入射位置、入射角度θ２、及び波長等を調整する再生初期設定を行う。その後、再生光透過領域を絞って、所定のホログラムデータのみを再生光透過領域から透過させて受光部２９にて受光しホログラム再生を行う。本発明では、前記再生初期設定を簡単且つ適切に行うことができ、その後のホログラム再生を適切に行うことが可能である。【選択図】図１
2008018366.tif 000002
【特許請求の範囲】
【請求項１】
複数のホログラムデータが記録された記録媒体を設置するための設置部と、
前記記録媒体に向けて参照光を発する発光部と、
前記記録媒体から発せられた再生光を受光する受光部と、
前記記録媒体と前記受光部間に、前記再生光を通過させる再生光通過部を有する絞り手段からなり、
前記絞り手段は、前記再生光を広い領域で通過させる第１状態及び、前記再生光を前記第１状態よりも狭い領域で通過させる第２状態に可変可能であること、
を特徴とするホログラム再生装置。
【請求項２】
前記絞り手段は液晶素子であり、前記液晶素子は、前記複数のホログラムデータからの再生光を透過する再生光透過領域を有する前記第１状態、及び、一部の再生光のみを透過する再生光透過領域を有する前記第２状態に可変制御される請求項１記載のホログラム再生装置。
【請求項３】
前記液晶素子は、前記第１状態において全領域が再生光透過領域となり、前記第２状態では１つのホログラムデータからの再生光に対応する領域のみが再生光透過領域となることを特徴とする請求項２記載のホログラム再生装置。
【請求項４】
前記絞り手段は、虹彩絞り機構を有するフィルタ部材であり、その絞りの中心部が再生光通過部となる請求項１記載のホログラム再生装置。
【請求項５】
複数のホログラムデータが記録された記録媒体を設置するための設置部と、
前記記録媒体に向けて参照光を発する発光部と、
前記記録媒体から発せられた再生光を受光する受光部と、
前記記録媒体と前記受光部間に、前記再生光を通過させる再生光通過部を有する絞り手段からなり、
前記絞り手段は、前記記録媒体と前記受光部間の対向領域内を移動可能に配置され、さらに前記再生光を広い領域で通過させる第１状態及び、前記再生光を前記第１状態よりも狭い領域で通過させる第２状態に可変可能であること
を特徴とするホログラム再生装置。
【請求項６】
前記第１状態は、前記フィルタを前記対向領域の外側へ移動させた状態であり、前記第２状態は、前記フィルタを前記対向領域に移動させた状態である請求項５記載のホログラム再生装置。
【請求項７】
前記絞り手段が、一部に切欠部を有する複数の板状のフィルタ部材からなり、前記第１状態は、前記各フィルタ部材を離した状態であり、前記第２状態は、前記フィルタ部材を互いに当接させることにより前記切欠部で再生光通過部を構成した状態である請求項５記載のホログラム再生装置。
【請求項８】
複数のホログラムデータが記録された記録媒体に参照光を照射することにより、前記記録媒体から発せられる再生光を受光部で受光して、前記ホログラムデータを再生するホログラム再生方法において、
前記記録媒体と前記受光部間に絞り手段を配し、
前記再生光を前記記録媒体側から受光部へ向けて広い領域で通過させる第１状態に前記絞り手段を制御し、再生初期設定を行った後、前記再生光を前記第１状態よりも狭い領域で通過させる第２状態に前記絞り手段を移行させ、前記第２状態にてホログラム再生を行うことを特徴とするホログラム再生方法。
【請求項９】
前記絞り手段として液晶素子を設け、前記第1状態として前記複数のホログラムデータからの再生光を透過するように前記液晶素子の再生光透過領域を制御し、前記第１状態にて前記再生初期設定を行った後、前記第２状態として１つのホログラムデータからの再生光のみを透過するよう前記液晶素子の一部の領域のみを再生光透過領域に調整し、前記第２状態にて前記ホログラム再生を行う請求項７記載のホログラム再生方法。
【請求項１０】
前記第1状態として、前記液晶素子の全領域を再生光透過領域とする請求項９記載のホログラム再生方法。
【請求項１１】
前記第２状態のとき、前記再生光通過領域の位置を微調整した後、前記ホログラム再生を行う請求項８記載のホログラム再生方法。
【請求項１２】
前記絞り手段として再生光通過孔を有するフィルタを設け、前記再生光通過孔の大きさは可変可能に制御されており、前記光透過孔を最大限に大きくした前記第１状態にて前記再生初期設定を行った後、徐々に前記光透過孔を小さくしていき、前記光透過孔を所定の大きさまで小さくした前記第２状態にて前記ホログラム再生を行う請求項８記載のホログラム再生方法。
【請求項１３】
前記絞り手段は再生光通過孔を有するフィルタ部材であり、前記フィルタ部材を前記外側へ移動させた第１状態にて前記再生初期設定を行った後、前記フィルタ部材を前記対向領域まで移動させた前記第２状態にて前記ホログラム再生を行う請求項８記載のホログラム再生方法。
【発明の詳細な説明】
【技術分野】
【０００１】
本発明は、再生参照光の照射によって記録媒体に記録されたホログラムデータを再生するホログラム再生装置及びホログラム再生方法に関する。
【背景技術】
【０００２】
下記の文献に記載されているように、ホログラムデータの再生では、再生参照光を、ホログラムデータが記録された記録媒体に入射させると、ブラッグ条件式により、前記再生参照光が前記データの干渉縞で回折され、再生光が発せられる。そして、前記再生光がＣＣＤやＣＭＯＳなど受光素子によって受光され、前記再生光に含まれるホログラムデータの内容が読み出される。
【特許文献１】特開２００６−５８７２６号公報
【特許文献２】特開２００５−３３１８６４号公報
【特許文献３】特開２００３−２３３２９３号公報
【発明の開示】
【発明が解決しようとする課題】
【０００３】
特許文献１に記載された発明では、記録媒体と受光部との間にピンホールフィルタが設けられている。特許文献１によれば、前記ピンホールフィルタは、ある所定のホログラムの再生光のみを通過させ、他のホログラムの再生光を遮断するため、前記記録媒体に記録された複数のホログラムを夫々、読み出すことができるとしている（特許文献１の例えば［発明の効果］欄を参照されたい）。【０００４】
しかしながら、特許文献１に記載された発明では次のような問題点がある。
すなわち、記録媒体に記録されたホログラムを読み出すための再生参照光の記録媒体に対する入射角度、波長、及び入射位置等を調整する再生初期設定を適切に行えず、よって適切にホログラム再生できない場合があった。この問題を図１２を用いて説明する。【０００５】
図１２に示すように記録媒体１には多数のホログラムデータ２が記録されている。記録密度を上げるために、通常、隣り合う前記ホログラムデータ２同士は、一部が重さなるようにして記録されているが（各ホログラムデータの中心間距離が数百μｍ程度）、ここでは、図面を見やすくするために、各ホログラムデータ２同士は離れて記録されているものとする。【０００６】
半導体レーザ等からなる光源より射出された前記再生参照光３の入射角度θ１及び波長が記録時の参照光と一致すると、図１２に示すように各ホログラムデータ２でブラッグ回折が起こり、再生光４がＣＭＯＳ等の受光部６に向けて発せられる。【０００７】
しかし、再生時の環境変化等の要因により、前記再生参照光３の入射角度θ１及び波長が記録時の参照光のそれらと一致しなくなることがある。このような場合、ブラッグ回折が適切に起こらず、全く再生光４が出なかったり、あるいは前記再生光４の強度が弱くなる。このため、前記再生参照光３の入射角度θ１及び波長を適切に調整する必要があった。【０００８】
図１２に示すように、前記記録媒体１と受光部６との間にピンホール５ａが形成されたピンホールフィルタ５が存在する場合、前記ピンホールフィルタ５の位置ずれが生じていると、前記受光部６は再生光４を全く受光できなくなる。よって、最初に前記ピンホールフィルタ５の位置合わせが必要となる。【０００９】
しかし、前記ピンホールフィルタ５の位置ずれが生じて、前記受光部６にて再生光を全く受光できない場合、前記ピンホールフィルタ５の位置をどちらの方向にどれだけ移動させればよいのか全く見当がつかくなってしまう。また、再生参照光３を照射しても、記録媒体１から再生光４が全く発せられていない可能性もあるため、前記ピンホールフィルタ５の移動のみならず、その移動した地点毎に再生参照光３の入射角度θ１や波長を変化させて、前記受光部６にて受光できるか否かを確認しなければならない。さらに、ホログラムデータ２の記録間隔が数百μｍであるため、ピンホールフィルタ５の位置も数百μｍ程度の高精度で合わせる必要性がある。以上のことから、一旦、前記ピンホールフィルタ５の位置ずれが生じてしまうと、初期設定及びその後のホログラム再生時の各種調整がが極めて難しくなる。【００１０】
本発明は上記従来の課題を解決するためのものであり、特に、前記再生参照光の入射角度及び波長等を調整する再生時の初期設定を簡単且つ適切に行うことができ、その後のホログラム再生を適切に行うことが可能なホログラム再生装置及びホログラム再生方法を提供することを目的としている。
【課題を解決するための手段】
【００１１】
本発明におけるホログラム再生装置は、
複数のホログラムデータが記録された記録媒体を設置するための設置部と、
前記記録媒体に向けて参照光を発する発光部と、
前記記録媒体から発せられた再生光を受光する受光部と、
前記記録媒体と前期受光部間に、前記再生光を通過させる再生光通過部を有する絞り手段からなり、
前記絞り手段は、前記再生光を広い領域で通過させる第１状態及び、前記再生光を前記第１状態よりも狭い領域で通過させる第２状態に可変可能であること、
を特徴とするものである。【００１２】
本発明では上記のように、前記再生光の通過領域の大きさを可変する絞り手段を設けることで、前記再生光の入射位置、角度及び波長等を適切に調整した後、ホログラムデータを再生することが可能になる。すなわち、前記再生光を広い領域で通過させる第１状態で、前記再生光の前記再生光の入射位置、角度及び波長等を適切に調整する再生初期設定を行うことが出来るので、特許文献１に記載された発明に比べて適切に前記再生初期設定を行うことができる。そして、前記第１状態よりも再生光の通過領域を狭くする第２状態では、前記再生光の強度を受光部にて確認しながら、前記通過領域の位置調整を適切に行うことが可能になる。したがって本発明では、従来に比べて適切にホログラムデータの再生を行うことが可能になる。【００１３】
本発明では、前記設置部と前記受光部間には、絞り手段として液晶素子が設けられている。この液晶素子は、広い領域を再生光透過領域とする前記第１状態、及び、一部の領域のみを再生光透過領域とする前記第２状態に可変可能に制御されることが好ましい。前記液晶素子を用いることで、上記の前記第１状態及び、前記第２状態を簡単且つ適切に形成することが出来る。また前記第２状態での再生光透過領域の位置調整を簡単且つ適切に行うことが可能である。【００１４】
また本発明では、前記記録媒体と前記受光部間には、再生光通過孔を有するフィルタ部材が設けられる。この再生光通過孔の大きさが可変可能に制御される構成であっても、上記の前記第１状態及び前記第２状態を適切且つ簡単に形成することが出来る。【００１５】
あるいは本発明では、絞り手段として再生光通過孔を有するフィルタ部材を設けても良い。このフィルタ部材は、前記記録媒体と前記受光部間の対向領域内、または前記対抗領域と前記対向領域の外側との間を移動可能に制御される。この場合、前記第１状態は、前記フィルタを前記外側へ移動させた状態であり、前記第２状態は、前記フィルタを前記対向領域に移動させた状態である構成であっても、上記の前記第１状態及び前記第２状態を適切且つ簡単に形成することが出来る。【００１６】
また本発明は、ホログラムデータが記録された記録媒体に参照光を照射することにより、前記記録媒体から発せられる再生光を受光部で受光して、前記ホログラムデータを再生するホログラム再生方法において、
前記記録媒体と前記受光部間に絞り手段を配置し、
前記再生光を前記記録媒体側から受光部へ向けて広い領域で通過させる第１状態に前記絞り手段を制御し、て再生初期設定を行った後、前記再生光を前記第１状態よりも狭い領域で通過させる第２状態に前記絞り手段を移行させ、前記第２状態にてホログラム再生を行うことを特徴とするものである。【００１７】
本発明では、このように、前記再生光を広い領域で通過させる第１状態で、前記再生光の入射位置、角度及び波長等を適切に調整する再生初期設定を行うことが出来るので、特許文献１に記載された発明に比べて適切且つ簡単に前記再生初期設定を行うことができる。そして、前記第１状態よりも再生光の通過領域を狭くする第２状態では、前記再生光の強度を適切に受光部にて確認しながら、前記通過領域の位置調整を適切に行うことが可能になる。したがって本発明では、従来に比べて適切にホログラムデータの再生を行うことが可能になる。【００１８】
本発明では、前記記録媒体と前記受光部間に、絞り手段として液晶素子を設け、前記液晶素子の広い全領域を再生光透過領域とした前記第１状態にて前記再生初期設定を行った後、一部の領域のみを再生光透過領域に調整した前記第２状態にて前記ホログラム再生を行うことが好ましい。また、前記第２状態のとき、前記再生光透過領域の位置を微調整した後、前記ホログラム再生を行うことが可能である。【００１９】
また本発明では、前記記録媒体と前記受光部間に、再生光通過孔を有するフィルタ部材を設け、前記再生光通過孔の大きさは可変可能に制御されている。そして、前記再生光透過孔を最大限に大きくした前記第１状態にて前記再生初期設定を行った後、徐々に前記再生光透過孔を小さくしていき、前記再生光透過孔を所定の大きさまで小さくした前記第２状態にて前記ホログラム再生を行う再生方法であってもよい。【００２０】
あるいは本発明では、前記記録媒体と前記受光部間の対向領域と前記対向領域内、または前記対向領域の外側との間を移動可能に制御された再生光通過孔を有するフィルタ部材を設ける。そして、前記フィルタを前記外側へ移動させた第１状態にて前記再生初期設定を行った後、前記フィルタを前記対向領域まで移動させた前記第２状態にて前記ホログラム再生を行う再生方法であってもよい。
【発明の効果】
【００２１】
本発明によれば、再生参照光の入射角度及び波長等を調整する再生初期設定を簡単且つ適切に行うことができ、その後のホログラム再生を適切に行うことが可能である。
【発明を実施するための最良の形態】
【００２２】
図１，図２は、第１実施形態であり、図１は、本実施形態のホログラム再生装置によって再生初期設定を行う概念図、図２は、図１の再生初期設定を行った後、前記ホログラム再生装置によって記録媒体からホログラムデータを再生する概念図、図３は第１実施形態のホログラム再生装置に使用される液晶素子の再生初期設定時の平面図（図１に示す液晶素子は図３に示す液晶素子をＡ−Ａ線から膜厚方向へ切断し矢印方向から見た部分断面図）、図４は、第１実施形態のホログラム再生装置に使用される液晶素子のホログラム再生時の平面図（図２に示す液晶素子は図４に示す液晶素子をＢ−Ｂ線から膜厚方向へ切断し矢印方向から見た部分断面図）、図５は、前記液晶素子に形成される光透過孔の位置を微調整する際の前記液晶素子の平面図、である。【００２３】
図１に示すホログラム再生装置２０は、例えば同一の基板上に複数の面発光レーザ（VCSEL）が設けられたVCSELアレイ等の発光部２１と、ホログラム記録媒体２３を設置するための設置部２２と、前記ホログラム記録媒体２３から発せられた再生光２５ａ〜２７ａを受光するＣＣＤやＣＭＯＳなどからなる受光部２９と、前記受光部２９と前記ホログラム記録媒体２３間に位置する絞り部材としての液晶素子２４とを、有して構成される。【００２４】
前記ホログラム記録媒体２３には、図示しないホログラム記録装置によってホログラムデータ２５，２６，２７が多数記録されている。前記ホログラムデータ２５，２６，２７は干渉縞として現れる。各ホログラムデータ２５，２６，２７が記録されている領域と同一領域には、例えば角度多重や波長多重にて多数のホログラムデータが記録されている。ホログラムデータが多数記録された同一領域を「ブック」と呼び、前記ブックに記録されている各ホログラムデータを「ページ」と呼ぶ。図１に示す各ホログラムデータ２５，２６，２７は、夫々、異なる前記ブックに記録されたものであり、各ホログラムデータ２５，２６，２７は同じ参照光の入射角度θ２及び波長によって記録されたものである。図１では、図面を簡潔にするために各ホログラムデータ２５，２６，２７は間隔を空けて記録されているが、実際には、隣り合う前記ホログラムデータ２５，２６，２７同士は、夫々、一部重なって記録されている。隣り合う各ホログラムデータ２５，２６，２７の中心間距離は数百μｍ程度である。【００２５】
図１は、再生参照光２８の入射位置、入射角度θ２、及び波長等を調整する再生初期設定時を示している。【００２６】
図１に示すように、ホログラム再生装置２０の前記発光部２１から再生参照光２８を前記ホログラム記録媒体２３に向けて照射する。前記発光部２１と前記設置部２２間には、図示しないレンズアレイが設けられており、前記再生参照光２８は、平行光として前記ホログラム記録媒体２３に入射される。図１に示すように、前記再生参照光２８の前記ホログラム記録媒体２３表面に対する入射角度はθ２で示される。【００２７】
図１に示す再生初期設定時では、前記液晶素子２４はほぼ全領域を再生光透過領域とする第１状態に設定されている。前記液晶素子２４は、横方向（図示Ｘ方向）に所定の間隔を空けて縦方向（図示Ｙ方向）に延びる多数本の透明電極と、縦方向（図示Ｙ方向）に所定の間隔を空けて横方向（図示Ｘ方向）に延びる多数本の透明電極とが、液晶層を介して対向する構造を有する。平面視にて対向する前記透明電極同士が交差する部分が画素であり、画素数が多いほど、後のホログラム再生時に前記液晶素子２４に形成する再生光透過領域２４ａの大きさを細かく制御することが出来る。また、例えば、各画素に与える電圧値を大きくすることで相対輝度を小さくできる。【００２８】
図１，図３は、前記液晶素子２４の各画素には電圧が与えられておらず、前記液晶素子２４のほぼ全領域が再生光透過領域に設定されている状態を示す。特に図３では、前記液晶素子２４の全領域が、ホログラム記録媒体２３に記録されている多数のホログラムデータ（円形の点線で示している）の透過領域であることを示している。【００２９】
図１に示すように、前記再生参照光２８が前記ホログラムデータ２５，２６，２７に照射されると、ブラッグ条件式を満たすとき、再生参照光２８が回折して、再生光（回折光）２５ａ，２６ａ，２７ａとして前記ホログラム記録媒体２３から前記受光部２９に向けて放出される。【００３０】
前記受光部２９で受光した再生光２５ａ，２６ａ，２７ａの光強度が弱いとき、あるいは再生光２５ａ，２６ａ，２７ａを受光できていないときは、再生参照光２８の入射位置、入射角度θ２、及び、波長等を調整して、再生光２５ａ，２６ａ，２７ａを前記受光部２９で適切に受光できるように設定する（再生初期設定）。【００３１】
このとき、前記液晶素子２４は、全領域が再生光透過領域に設定されているため、図１，図３に示すように、前記ホログラム記録媒体２３から前記受光部２９へ向けて照射される全再生光２５ａ，２６ａ，２７ａが前記液晶素子２４を透過して前記受光部２９で適切に受光できるようになっている。なお実際には、前記設置部２２と前記受光部２９間にはレンズアレイが設けられているが、図示を省略している。【００３２】
次に、再生初期設定が終了した後、例えば、ホログラムデータ２６を適切に再生するために前記ホログラムデータ２６の再生光２６ａのみを透過させる再生光透過領域２４ａを、前記液晶素子２４に形成した状態（第２状態）を説明する。【００３３】
図２，図４に示すように、今、ホログラムデータ２６から発せられる再生光２６ａのみを受光しようとするとき、前記受光部２９に与えられる再生光の受光状態を確認しながら、一定の領域（光透過領域２４ａ）を残して、光を透過しない非透過領域２４ｂを形成する。前記非透過領域２４ｂでは、液晶の各画素が黒表示となるように、各透明電極に与えられる電圧が調整される。前記再生光透過領域２４ａの大きさは、一つの再生光２６ａのみが透過できる位置および大きさである。【００３４】
図２，図４に示すように、再生光２５ａ，２７ａは前記液晶素子２４の前記非透過領域２４ｂに照射されるため、前記受光部２９では受光されない。一方、前記ホログラムデータ２６から発せられる再生光２６ａは、前記液晶素子２４の再生光透過領域２４ａを透過して前記受光部２９にて受光される。【００３５】
本実施形態の特徴的部分は、図１に示す広い領域にて再生光の受光を行う第１状態、及び、図２に示す狭い領域にて再生光の受光を行う第２状態に可変可能な絞り手段（図１，図２に示す形態では液晶素子２４）を有するホログラム再生装置２０、及び前記ホログラム再生装置２０を用いたホログラム再生方法にある。【００３６】
図１のように、液晶素子２４の再生光透過領域を広くした第１状態では、前記受光部２９にて適切に再生光２５ａ〜２７ａの受光が行えるため再生初期設定を適切且つ簡単に行うことが出来る。そして、その後、前記液晶素子２４に前記再生光透過領域２４ａと非透過領域２４ｂとを形成するが、このとき、前記受光部２９にて受光状態を確認しながら、前記再生光透過領域２４ａの形成位置及び大きさを調整することができる。このため、所定のホログラムデータ２６からの再生光２６ａのみを受光できる状態に適切且つ簡単に調整できる。また本装置では、前記受光部２９にて受光状態を確認しながら前記再生光透過領域２４ａの大きさを徐々に小さくしていくことが好ましい。【００３７】
また液晶素子２４では、上記した各画素に対する電圧調整によって、再生光透過領域２４ａの位置を液晶素子２４内で自由に変えることができる。よって、前記液晶素子２４の位置を固定されていたとしても、前記再生光透過領域２４ａの位置を可変させることにより、液晶素子２４と対向している多数のホログラムデータを簡単且つ適切に再生することが可能である。例えば、図３に示すように複数のホログラムデータ２５，２６，２７等が、液晶素子２４と対向しているとする。この場合、各ホログラムデータ２５，２６，２７の中心間距離は、数百μｍであるため、数百μｍだけ再生光透過領域２４ａを移動させることで、隣のホログラムデータからの再生光を適切に受光することが出来る。【００３８】
また、前記液晶素子２４であれば、例えば、少しだけ前記再生光透過領域２４ａの位置ずれが生じたような場合、図５に示すように、各画素にあたえる電圧値を調整することで、前記再生光透過領域２４ａの位置を微調整することも簡単に行うことが可能である（実線が微調整前、点線が微調整後の再生光透過領域２４ａ位置）。上記したように画素数が多いほど、前記微調整をより細かく行うことが可能である。【００３９】
また、前記液晶素子２４と対向しているホログラム記録媒体２３の対向領域でのホログラムデータを全て再生した後、別のホログラムデータ領域へ前記液晶素子２４を移動させる。このとき、前記液晶素子２４と受光部２９は連結されており、前記液晶素子２４の移動に伴って前記受光部２９も一緒に移動する。このように前記液晶素子２４を別の位置へ移動した場合には、再び、図１に示す再生初期設定を行った後、図２でのホログラム再生を行ったほうが適切に前記ホログラム再生を行うことができて好ましい。ただし、前記液晶素子２４の移動の度に前記再生初期設定を行うか否かは任意である。本実施形態では、少なくとも起動時の再生初期設定を図１に示す方法で行うが、その後は、任意である。また、前記液晶素子２４が前記受光部２９とは別に移動できるようにしても良い。【００４０】
図６，図７は第２実施形態の可変絞り手段として用いられるフィルタの平面図である。図６が、第１状態（再生初期設定時）で、図７が、第２状態（ホログラム再生時）のフィルタの状態を示す。【００４１】
図６，図７に示すように、フィルタ３０は虹彩絞り構造を有しており、その中心部には再生光通過孔（ピンホール）３０ａが設けられている。そして、前記光通過孔３０ａは、虹彩絞り構造によりその径の大きさを可変させることが出来る。【００４２】
前記フィルタ３０は、図１，図２で示すホログラム再生装置２０に、前記液晶素子２４に代えて設けられる。【００４３】
図６では、前記光通過孔３０ａの径を最大限に大きくして、多数のホログラムデータからの再生光を前記再生光通過孔３０ａから通過させて前記受光部２９にて受光できるようにしている（第１状態）。そして、前記再生参照光２８の入射位置、入射角度θ２、及び波長等を調整して再生初期設定を行う。【００４４】
次に、図７のように、所定のホログラムデータからの再生光のみが前記再生光通過孔３０ａを通過する大きさまで徐々に、前記再生光通過孔３０ａの径を小さくしていき、残りの前記再生光を遮断する。そして、所定の前記再生光のみを前記受光部２９にて受光し、ホログラム再生を行う。【００４５】
図８、図９は、第３実施形態であり、図８は、本実施形態のホログラム再生装置によって再生初期設定を行う概念図、図９は、図８の再生初期設定を行った後、前記ホログラム再生装置によって記録媒体からホログラムデータを再生する概念図、である。なお図１，図２と同じ符号が付けられている部材は図１，図２と同じ部材を示している。【００４６】
図８は第３の実施形態における第１状態を示しており、ちょうど一つの再生光が通過できる程度の大きさで形成された再生光通過孔（ピンホール）４０ａを有するフィルタ４０を備えており、前記再生光通過孔４０ａ以外の領域は、光が通過できない非光通過領域である。このフィルタ４０は、前記受光部２９とホログラム記録媒体２３との間を移動可能に設置されており、第１状態では、前記ホログラム記録媒体２３と前記受光部２９間の対向領域から外れた領域に位置している。【００４７】
図８の状態（第１状態）では、前記フィルタ４０が設置部２２と受光部２９間の対向領域から外れた領域に位置しているので、各ホログラムデータ２５，２６，２７からの再生光２５ａ，２６ａ，２７ａは、全て前記受光部２９にて受光される。したがって、図８の状態にて、前記再生参照光２８の入射位置、入射角度θ２及び波長等を適切に調整できる（再生初期設定）。【００４８】
また前記再生初期設定後、前記フィルタ４０を、ホログラム記録媒体２３と受光部２９間の対向領域へ移動させる（図９）。【００４９】
図９の状態（第２状態）では、前記フィルタ４０に設けられた再生光通過孔４０ａを前記ホログラムデータ２６からの再生光２６ａのみが通過し、残りの再生光２５ａ，２７ａは遮断される。そして前記再生光通過孔４０ａを通過した前記再生光２６ａを受光部２９にて受光してホログラム再生を行う。【００５０】
例えば図８に示すように、フィルタ４０上面と対向する位置に、表面にゴミ等を吸着する吸着部材が設けられたローラ４１を設けてもよい。この構成によれば、前記フィルタ４０の移動に伴って前記ローラ４１を回転させることにより、前記再生光通過孔４０ａに付着したゴミ等を前記ローラ４１にて除去できる。【００５１】
ところで図８，図９に示すように再生光通過孔４０ａを有するフィルタ４０を移動させて図８に示す第１状態から図９に示す第２状態に移行させる構成である場合、前記第１状態から前記第２状態への移行時には、受光したいホログラムデータ２６からの再生光２６ａが遮断されてしまう空白期間ができてしまう。このような空白期間ができてしまうと、前記再生光２６ａを常に受光している図１〜図７の実施形態に比べて、前記再生光通過孔４０ａの位置調整が困難になりやすい。【００５２】
この問題を解決するためには、例えば図１０に示すように、複数（図１０では第１フィルタ５０ａと第２フィルタ５０ｂの２つ）に分割形成したフィルタ５０を用いてもよい。このフィルタ５０は、第１フィルタ５０ａと第２フィルタ５０ｂとの対向部の同位置に切欠部５１ａ，５１ｂが夫々形成されている。また図１０は、第１状態（初期設定時）であり、第１フィルタ５０ａと第２フィルタ５０ｂは離れている。このため、前記第１フィルタ５０ａと前記第２フィルタ５０ｂ間を、ホログラム記録媒体２３に記録された多数のホログラムデータからの再生光が通過して前記受光部２９にて受光される。これにより、再生初期設定が行われる。【００５３】
前記再生初期設定後、図１１に示すように前記第１フィルタ５０ａと前記第２フィルタ５０ｂを当接するまで移動させる。このとき、前記切欠部５１ａ，５１ｂにより光通過孔５１が形成される。この光通過孔５１から所定のホログラムデータの再生光のみが通過し、前記再生光を前記受光部２９が受光してホログラム再生が行われる（第２状態）。【００５４】
なお、前記第１フィルタ５０ａと前記第２フィルタ５０ｂの位置を高さ方向にずらして配置してもよい。この構成によれば、図１１の状態のときに、前記第１フィルタ５０ａと前記第２フィルタ５０ｂが上下方向にて一部重なるようにすることにより、前記光通過孔５１の径の大きさを可変させることも可能となる。【００５５】
図１０，図１１に示す形態では、受光したいホログラムデータ２６からの再生光２６ａが遮断されてしまう空白期間が形成されないようにできるため、図１１の第２状態のとき、前記再生光通過孔５１の位置調整を高精度に行うことが可能である。【００５６】
なお図６〜図１１のフィルタ３０，４０，５０の構成では、前記フィルタ３０，４０，５０と受光部２９は連結させ、前記フィルタ３０，４０，５０の移動に伴って受光部２９が一緒に移動する構成であっても良く、また前記フィルタ３０，４０，５０と前記受光部２９とが別々に移動可能な構成であってもよい。【００５７】
前記再生光２７は、本実施形態に示すように、受光部に到達する途中で一度集光してもよいし、あるいは平行光等であってもよい。
【図面の簡単な説明】
【００５８】
【図１】第１実施形態のホログラム再生装置によって再生初期設定を行う概念図、
【図２】図１の再生初期設定を行った後、前記ホログラム再生装置によって記録媒体からホログラムデータを再生する概念図、
【図３】第１実施形態のホログラム再生装置に使用される液晶素子の再生初期設定時の平面図（図１に示す液晶素子は図３に示す液晶素子をＡ−Ａ線から膜厚方向へ切断し矢印方向から見た部分断面図）、
【図４】第１実施形態のホログラム再生装置に使用される液晶素子のホログラム再生時の平面図（図２に示す液晶素子は図４に示す液晶素子をＢ−Ｂ線から膜厚方向へ切断し矢印方向から見た部分断面図）、
【図５】前記液晶素子に形成される光透過孔の位置を微調整する際の前記液晶素子の平面図、
【図６】第２実施形態の可変絞り手段として用いられるフィルタの平面図であり、第１状態（再生初期設定時）を示す前記平面図、
【図７】第２実施形態の可変絞り手段として用いられるフィルタの平面図であり、第２状態（ホログラム再生時）を示す前記平面図、
【図８】第３実施形態のホログラム再生装置によって再生初期設定を行う概念図、
【図９】図８の再生初期設定を行った後、前記ホログラム再生装置によって記録媒体からホログラムデータを再生する概念図、
【図１０】第４実施形態の可変絞り手段として用いられるフィルタの平面図であり、第１状態（再生初期設定時）を示す前記平面図、
【図１１】第４実施形態の可変絞り手段として用いられるフィルタの平面図であり、第２状態（ホログラム再生時）を示す前記平面図、
【図１２】従来のピンホールフィルタを有するホログラム再生装置を用いた場合の問題点を説明するための概念図、
【符号の説明】
【００５９】
２０  ホログラム再生装置
２１  発光部
２２  設置部
２３  ホログラム記録媒体
２４  液晶素子
２４ａ  再生光透過領域
２４ｂ  非透過領域
２５、２６、２７  ホログラムデータ
２５ａ、２６ａ、２７ａ  再生光
２８  再生参照光
２９  受光部
３０、４０、５０  フィルタ
３０ａ、４０ａ、５１  再生光通過領域
【図１】
2008018366.tif 000003
【図２】
2008018366.tif 000004
【図３】
2008018366.tif 000005
【図４】
2008018366.tif 000006
【図５】
2008018366.tif 000007
【図６】
2008018366.tif 000008
【図７】
2008018366.tif 000009
【図８】
2008018366.tif 000010
【図９】
2008018366.tif 000011
【図１０】
2008018366.tif 000012
【図１１】
2008018366.tif 000013
【図１２】
2008018366.tif 000014
【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
複数のホログラムデータが記録された記録媒体が設置される設置部と、前記記録媒体に向けて参照光を発する発光部と、前記記録媒体から発せられた再生光を受光する受光部と、前記記録媒体と前記受光部の間に設けられた液晶素子とを有しており、
前記液晶素子は、複数のホログラムデータからの再生光を前記受光部に向けて透過させる第１状態と、１つのホログラムデータからの再生光をのみを前記受光部に向けて透過させる第２状態とに可変可能であることを特徴とするホログラム再生装置。
【請求項２】
複数のホログラムデータが記録された記録媒体が設置される設置部と、前記記録媒体に向けて参照光を発する発光部と、前記記録媒体から発せられた再生光を受光する受光部と、一部の再生光を透過させるフィルタとを有しており、
前記フィルタは、前記記録媒体と前記受光部との対向領域の外側へ移動して、複数のホログラムデータからの再生光を前記受光部に向けて透過させる第１状態と、前記対向領域に移動して、第１状態よりも少ない数のホログラムデータからの再生光を前記受光部に向けて透過させる第２状態とに可変可能であることを特徴とするホログラム再生装置。
【請求項３】
複数のホログラムデータが記録された記録媒体が設置される設置部と、前記記録媒体に向けて参照光を発する発光部と、前記記録媒体から発せられた再生光を受光する受光部と、前記記録媒体と前記受光部の間に設けられて一部の再生光を透過させる絞り手段とを有しており、
前記絞り手段が、一部に切欠部を有する複数の板状のフィルタ部材からなり、各フィルタ部材を離して、複数のホログラムデータからの再生光を前記受光部に向けて透過させる第１状態と、フィルタ部材を互いに当接させて、第１状態よりも少ない数のホログラムデータからの再生光を前記受光部に向けて透過させる第２状態とに可変可能であることを特徴とするホログラム再生装置。
【請求項４】
複数のホログラムデータが記録された記録媒体に参照光を照射することにより、前記記録媒体から発せられる再生光を受光部で受光して、前記ホログラムデータを再生するホログラム再生方法において、
前記記録媒体と前記受光部との間に絞り手段を配し、
前記再生光を前記記録媒体側から受光部へ向けて広い領域で通過させる第１状態に前記絞り手段を制御して再生初期設定を行った後に、前記絞り手段を、前記再生光が前記第１状態よりも狭い領域で通過する第２状態に移行させ、前記第２状態でホログラム再生を行うことを特徴とするホログラム再生方法。
【請求項５】
前記絞り手段として液晶素子を設け、前記液晶素子の光透過領域を制御して、前記第１状態と前記第２状態を設定する請求項４記載のホログラム再生方法。
【請求項６】
前記第１状態で、前記液晶素子の全領域を光透過領域とする請求項５記載のホログラム再生方法。
【請求項７】
前記第２状態のとき、前記光透過領域の位置を微調整した後、前記ホログラム再生を行う請求項６記載のホログラム再生方法。
【請求項８】
前記絞り手段として光通過孔を有するフィルタを設け、前記光通過孔の大きさは可変可能に制御されており、前記光透過孔を最大限に大きくした前記第１状態で前記再生初期設定を行った後、徐々に前記光透過孔を小さくしていき、前記光透過孔を所定の大きさまで小さくした前記第２状態で前記ホログラム再生を行う請求項４記載のホログラム再生方法。
【請求項９】
前記絞り手段は光通過孔を有するフィルタであり、前記フィルタを、前記記録媒体と前記受光部との対向領域の外側へ移動させた第１状態で前記再生初期設定を行った後、前記フィルタを前記対向領域まで移動させた前記第２状態で前記ホログラム再生を行う請求項４記載のホログラム再生方法。
【手続補正２】
【補正対象書類名】明細書
【補正対象項目名】００１１
【補正方法】変更
【補正の内容】
【００１１】
本発明によりホログラム再生装置は、複数のホログラムデータが記録された記録媒体が設置される設置部と、前記記録媒体に向けて参照光を発する発光部と、前記記録媒体から発せられた再生光を受光する受光部と、前記記録媒体と前記受光部の間に設けられた液晶素子とを有しており、
前記液晶素子は、複数のホログラムデータからの再生光を前記受光部に向けて透過させる第１状態と、１つのホログラムデータからの再生光をのみを前記受光部に向けて透過させる第２状態とに可変可能であることを特徴とするものである。
【国際調査報告】
2008018366.tif 000015
2008018366.tif 000016
2008018366.tif 000017